(57)【要約】【課題】複数のヒーター制御基板（加熱部を駆動する基板を含む複数の制御部）を並べて設置する場合であっても、それぞれの制御部を効率的に冷却することができる媒体加熱装置を提供する。【解決手段】媒体加熱装置７は、用紙Ｓを加熱する加熱部４と、加熱部４を制御する第１制御部５１及び第２制御部５２と、第１制御部５１及び第２制御部５２を内部に有する制御部固定用筐体６と、を備え、第１制御部５１及び第２制御部５２は、それぞれ吸気口５１１ａ，５２２ａと排気口５１２ａ，５２１ａとを備え、第１制御部５１及び第２制御部５２は、第１制御部５１の吸気口５１１ａ及び排気口５１２ａの少なくとも一方、及び第２制御部５２の吸気口５２２ａ及び排気口５２１ａの少なくとも一方に設置される吸排気用ファン（吸気ファン８０）を備え、第１制御部５１及び第２制御部５２は、互いに排気口５１２ａ，５２１ａが向かい合うように配置される。【選択図】図２
2020082506.tif 000002
【特許請求の範囲】
【請求項１】
媒体を加熱する加熱部と、
前記加熱部を制御する第１の制御部および第２の制御部と、
前記第１の制御部および前記第２の制御部を内部に有する筐体と、を備え、
前記第１の制御部および前記第２の制御部は、それぞれ吸気口と排気口とを備え、
前記第１の制御部および前記第２の制御部は、前記第１の制御部の前記吸気口および前記排気口の少なくとも一方、および前記第２の制御部の前記吸気口および前記排気口の少なくとも一方に設置される吸排気用ファンを備え、
前記第１の制御部および前記第２の制御部は、互いに前記排気口が向かい合うように配置されることを特徴とする媒体加熱装置。
【請求項２】
請求項１に記載の媒体加熱装置であって、
前記筐体の内部で前記吸気口と前記排気口とが連通しないように仕切り板を備えることを特徴とする媒体加熱装置。
【請求項３】
請求項１または請求項２に記載の媒体加熱装置であって、
前記第１の制御部および前記第２の制御部は、向かい合う前記排気口からの排気を案内する気流案内部を備えることを特徴とする媒体加熱装置。
【請求項４】
請求項１〜請求項３のいずれか一項に記載の媒体加熱装置であって、
吸気口と排気口とを有して前記加熱部を制御する第３の制御部を備え、
前記第１の制御部の前記排気口と前記第２の制御部の前記排気口、前記第２の制御部の前記吸気口と前記第３の制御部の前記吸気口とが、向かい合うように配置されることを特徴とする媒体加熱装置。
【請求項５】
請求項１〜請求項４のいずれか一項に記載の媒体加熱装置であって、
前記筐体は、前記第１の制御部および前記第２の制御部の上方向で、前記第１の制御部および前記第２の制御部が配設される方向に沿って外部と連通する開口部を備え、
前記第１の制御部および前記第２の制御部は、前記開口部側に前記吸気口と前記排気口とを有することを特徴とする媒体加熱装置。
【請求項６】
請求項１〜請求項５のいずれか一項に記載の媒体加熱装置であって、
前記第１の制御部および前記第２の制御部は放熱用のヒートシンクを備え、
前記ヒートシンクは複数のフィンを備え、
複数の前記フィンは、前記吸気口から前記排気口に流動する空気の流れに沿って形成されていることを特徴とする媒体加熱装置。
【請求項７】
請求項１〜請求項６のいずれか一項に記載の媒体加熱装置を備えたことを特徴とする印刷装置。
【発明の詳細な説明】
【技術分野】
【０００１】
本発明は、媒体を加熱する媒体加熱装置及び媒体加熱装置を備えた印刷装置に関する。
【背景技術】
【０００２】
従来、ロール紙等の媒体に印刷を行う印刷装置が知られている。印刷装置は、通常、インクを吐出する吐出ヘッドと、吐出ヘッドを保持して媒体の搬送方向とは直交する走査方向に往復移動するキャリッジと、を備えている。そして、印刷装置は、キャリッジを走査方向に移動させながら吐出ヘッドから媒体に向けてインクを吐出することにより印刷を行う。なお、このような印刷装置において、浸透乾燥や蒸発乾燥を必要とするインク（流体）を用いる場合、媒体に吐出したインクを乾燥させて定着させるために、ヒーター等の加熱部を有する媒体加熱装置を設置することが必要となる。
【０００３】
特許文献１には、ヒーターを制御する制御部が加熱部を構成する箱体形状部の内部に設けられ、吸排気部が箱体形状部の内部に導入した気体により制御部を冷却し、制御部の熱を奪って温められた気体が排気される構成の記録装置（印刷装置）が開示されている。
【先行技術文献】
【特許文献】
【０００４】
【特許文献１】特開２０１３−１８１５０号公報
【発明の概要】
【発明が解決しようとする課題】
【０００５】
特許文献１の記録装置では、ヒーターを制御する制御部として、１つのヒーター制御基板が用いられており、上述したように吸排気部により、温まった空気を外部に排気することで、ヒーター制御基板を冷却していた。しかし、ヒーター制御基板を複数用いる場合には、それぞれのヒーター制御基板を冷却することが必要となる。そして、ヒーター制御基板を、例えば箱体形状部の内部に並べて順次冷却する場合、最初のヒーター制御基板を冷却して温まった空気で、次に並ぶヒーター制御基板を冷却することになり、十分な冷却効果が得られないという課題が考えられる。
【課題を解決するための手段】
【０００６】
本願の媒体加熱装置は、媒体を加熱する加熱部と、前記加熱部を制御する第１の制御部および第２の制御部と、前記第１の制御部および前記第２の制御部を内部に有する筐体と、を備え、前記第１の制御部および前記第２の制御部は、それぞれ吸気口と排気口とを備え、前記第１の制御部および前記第２の制御部は、前記第１の制御部の前記吸気口および前記排気口の少なくとも一方、および前記第２の制御部の前記吸気口および前記排気口の少なくとも一方に設置される吸排気用ファンを備え、前記第１の制御部および前記第２の制御部は、互いに前記排気口が向かい合うように配置されることを特徴とする。
【０００７】
上記、媒体加熱装置において、前記筐体の内部で前記吸気口と前記排気口とが連通しないように仕切り板を備えることが好ましい。
【０００８】
上記、媒体加熱装置において、前記第１の制御部および前記第２の制御部は、向かい合う前記排気口からの排気を案内する気流案内部を備えることが好ましい。
【０００９】
上記、媒体加熱装置において、吸気口と排気口とを有して前記加熱部を制御する第３の制御部を備え、前記第１の制御部の前記排気口と前記第２の制御部の前記排気口、前記第２の制御部の前記吸気口と前記第３の制御部の前記吸気口とが、向かい合うように配置されることが好ましい。
【００１０】
上記、媒体加熱装置において、前記筐体は、前記第１の制御部および前記第２の制御部の上方向で、前記第１の制御部および前記第２の制御部が配設される方向に沿って外部と連通する開口部を備え、前記第１の制御部および前記第２の制御部は、前記開口部側に前記吸気口と前記排気口とを有することが好ましい。
【００１１】
上記、媒体加熱装置において、前記第１の制御部および前記第２の制御部は放熱用のヒートシンクを備え、前記ヒートシンクは複数のフィンを備え、複数の前記フィンは、前記吸気口から前記排気口に流動する空気の流れに沿って形成されていることが好ましい。
【００１２】
本願の印刷装置は、上述したいずれかの媒体加熱装置を備えていることを特徴とする。
【図面の簡単な説明】
【００１３】
【図１】第１実施形態に係る印刷装置の概略構成図。
【図２】ヒーター用制御部を示す概略斜視図。
【図３】第１制御部の左側の側面図。
【図４】第１制御部の右側の側面図。
【図５】第２実施形態に係る印刷装置の概略構成図。
【図６】ヒーター用制御部を示す概略斜視図。
【図７】第３実施形態に係る印刷装置の気流案内部を示す概略構成図。
【発明を実施するための形態】
【００１４】
以下、本発明の実施形態について図面を参照して説明する。なお、以降の各図においては、各部材を認識可能な程度の大きさとするため、各部材の尺度を実際とは異ならせている。
【００１５】
［第１実施形態］
図１は、本発明の第１実施形態に係る印刷装置１の概略構成図である。
図１に示すように、本実施形態の印刷装置１として、媒体の一例である長尺の用紙Ｓを扱うラージフォーマットプリンター（ＬＦＰ）を取り上げて説明する。
【００１６】
図１を含めて以降の各図面は、ＸＹＺ座標系を用いて示す。Ｚ方向は、重力方向、鉛直方向に沿う方向である。以下、このＺ方向を上下方向Ｚまたは高さ方向Ｚとも言う。Ｘ方向は、上下方向Ｚと交差（本実施形態では直交）し、キャリッジ３２の走査方向となる。以下、このＸ方向を、幅方向Ｘまたは走査方向Ｘとも言う。Ｙ方向は、上下方向Ｚおよび幅方向Ｘの双方と交差（本実施形態では直交）する方向である。以下、このＹ方向を前後方向Ｙとも言う。
【００１７】
前後方向Ｙにおいて、印刷装置１の装置前側（前方向）または装置正面側（正面方向）を＋Ｙ方向とし、装置後側（後方向）または装置背面側（背面方向）を−Ｙ方向とする。幅方向Ｘにおいて、印刷装置１を正面側から見た場合、装置左側（左方向）を＋Ｘ方向、装置右側（右方向）を−Ｘ方向とする。上下方向Ｚにおいて、装置上側（上方向）を＋Ｚ方向、装置下側（下方向）を−Ｚ方向とする。
【００１８】
図１に示すように、印刷装置１は、ロール・ツー・ロール方式で用紙Ｓを搬送する搬送部２と、用紙Ｓに対してインク（流体）を吐出して画像や文字等を印刷する印刷部３と、用紙Ｓを加熱する加熱部４と、を有する。これら各構成部は、本体フレーム９０に支持されている。また、本体フレーム９０は、車輪９１が下端に取り付けられた一対の脚部９２により支持されている。また、印刷装置１は、上記各部材の駆動を統括的に制御する制御部１００を備えている。
【００１９】
搬送部２は、ロール体Ｒからロール状の用紙Ｓを搬送方向Ｆに繰り出す繰出ロール２１と、繰り出された用紙Ｓをロール体Ｒに巻き取る巻取ロール２２とを有する。搬送部２は、繰出ロール２１および巻取ロール２２間の搬送経路において、用紙Ｓを搬送する第１搬送ローラー対２３、第２搬送ローラー対２４を有する。また、搬送部２は、第２搬送ローラー対２４および巻取ロール２２間の搬送経路において、用紙Ｓに張力を付与するテンションローラー２５を有する。
【００２０】
テンションローラー２５は、揺動フレーム２５Ａに支持されており、用紙Ｓの裏面に幅方向Ｘで接触する構成となっている。テンションローラー２５は、幅方向Ｘにおいて、用紙Ｓの幅よりも長く形成されている。テンションローラー２５は、後述する加熱部４よりも搬送方向Ｆで下流側に設けられている。
【００２１】
搬送部２は、繰出ロール２１から繰り出された用紙Ｓを支持して搬送方向Ｆに搬送し、搬送経路を構成する第１支持部材２６、第２支持部材２７、および第３支持部材２８を備えている。第１支持部材２６は、支持面を有して用紙Ｓを搬送方向Ｆの上流側から第１搬送ローラー対２３に至らせる平板形状を有する支持部材である。第２支持部材２７は、印刷部３の吐出ヘッド３１に対向して設置され、支持面を有して用紙Ｓを第１搬送ローラー対２３から第２搬送ローラー対２４に至らせる平板形状を有する支持部材である。第２支持部材２７は、いわゆるプラテンとして機能する。
【００２２】
第３支持部材２８は、支持面２８ａを有して、用紙Ｓを上方に凸となるように湾曲させて支持し、第２搬送ローラー対２４から、第２搬送ローラー対２４とテンションローラー２５との経路の約半分までを支持する平板形状を有する支持部材である。
【００２３】
なお、第１支持部材２６、第２支持部材２７、第３支持部材２８は、幅方向Ｘにおいて、用紙Ｓの幅よりも長く形成されている。また、第１支持部材２６、第２支持部材２７、第３支持部材２８は、支持部２９に対して着脱可能に固定される。また、第１支持部材２６、第２支持部材２７、第３支持部材２８は、支持部２９を介して本体フレーム９０に固定される。
【００２４】
印刷部３は、第１搬送ローラー対２３と第２搬送ローラー対２４との間の搬送経路において、用紙Ｓに対してインクを吐出するインクジェットヘッドとしての吐出ヘッド３１と、吐出ヘッド３１を搭載して幅方向Ｘに往復移動自在なキャリッジ３２とを有する。吐出ヘッド３１は、複数のノズル（図示省略）を備え、用紙Ｓの材質に応じて選択されて浸透乾燥や蒸発乾燥を必要とするインクを吐出可能な構成となっている。キャリッジ３２は、幅方向Ｘに延びて架設された２つのキャリッジ軸９４に往復移動自在に支持される。また、２つのキャリッジ軸９４は、キャリッジ用フレーム９５に支持されている。
【００２５】
本実施形態の加熱部４は、媒体加熱装置７を構成している。なお、本実施形態の媒体加熱装置７は、後述する加熱部４とヒーター用制御部５と制御部固定用筐体６とにより構成されている。
【００２６】
加熱部４は、用紙Ｓを加熱することにより、インクを用紙Ｓに速やかに乾燥定着させ、滲みやぼやけを防止して画質を高める構成となっている。加熱部４は、印刷部３が設けられた位置よりも搬送方向Ｆの下流側で、印刷された用紙Ｓを加熱する。詳細には、加熱部４は、第３支持部材２８の上方向（＋Ｚ方向）に設置され、第３支持部材２８の支持面２８ａに支持されて搬送される用紙Ｓに対向し、印刷面側となる用紙Ｓのおもて面側から加熱することでインクを乾燥させる。
【００２７】
加熱部４の構成を説明する。
加熱部４は、２つの赤外線ヒーター４１、加熱用筐体４２、ダクト４３、吸引ファン４４等から構成されている。加熱部４の２つの赤外線ヒーター４１は、後述するヒーター用制御部５を構成する第１の制御部としての第１制御部５１、第２の制御部としての第２制御部５２（図２参照）によってそれぞれ制御される。
【００２８】
赤外線ヒーター４１は、赤外線照射部４１ａ、反射板４１ｂ等から構成されている。赤外線ヒーター４１は、赤外線照射部４１ａからの直接光に加え、反射板４１ｂによる反射光を支持面２８ａ上に搬送される用紙Ｓに照射するように配置されている。赤外線ヒーター４１は、本実施形態では、電磁波としての赤外線を照射する。
【００２９】
加熱用筐体４２は、赤外線ヒーター４１を内部に支持する箱状のカバーであり、赤外線ヒーター４１を覆うように設けられている。加熱用筐体４２は、用紙Ｓを乾燥する乾燥領域において、支持面２８ａ上の用紙Ｓを覆う状態に設置されている。加熱用筐体４２の内部には、ダクト４３が構成され、ダクト４３内には吸引ファン４４等が設けられている。
【００３０】
吸引ファン４４は、支持面２８ａ上の用紙Ｓを熱乾燥した場合に発生する蒸発気体（水性インクの場合は水蒸気）をその雰囲気と共に吸引する。そして、吸引ファン４４により吸引された蒸発気体は、ダクト４３内で液化され（水性インクの場合は水分を回収して除湿され）、ダクト４３の排出口（吸引ファン４４が取り付けられた側と反対の側）から気体（蒸発気体の液化が施された気体）が送出される。送出された気体は、支持面２８ａ上の用紙Ｓに向けて送風される。この送風される気体によっても、用紙Ｓの乾燥が促される。
【００３１】
図２は、ヒーター用制御部５を示す概略斜視図である。図２では、ヒーター用制御部５の構成を説明するため、制御部固定用筐体６の前面カバー６２とトップカバー６３とを取り外した状態を図示している。また、図２では、ヒーター用制御部５を前面右側の上方から見た場合の斜視図としている。
【００３２】
図３は、第１制御部５１の左側の側面図である。詳細には、図３は、第１制御部５１を幅方向Ｘにおいて＋Ｘ方向（左側）から−Ｘ方向（右側）に見た側面図である。図４は、第１制御部５１の右側の側面図である。詳細には、図４は、第１制御部５１を幅方向Ｘにおいて−Ｘ方向（右側）から＋Ｘ方向（左側）に見た側面図である。
【００３３】
本実施形態のヒーター用制御部５は、媒体加熱装置７を構成している。ヒーター用制御部５は、第１制御部５１および第２制御部５２の２つの制御部で構成されている。なお、この２つの制御部が加熱部４の２つの赤外線ヒーター４１をそれぞれ制御している。
【００３４】
第１制御部５１の構成に関して説明する。
図２〜図４に示すように、第１制御部５１は、回路配線基板に回路素子５１０が実装された第１基板５１Ａと、第１基板５１Ａを内部に収容する第１筐体５１Ｂとで構成されている。
【００３５】
第１筐体５１Ｂは、箱形状に構成されている。第１筐体５１Ｂは、左面カバー５１１、右面カバー５１２、上面カバー５１３、下面カバー５１４、および背面カバー５１５で構成されている。５方向の面となる左面カバー５１１、右面カバー５１２、上面カバー５１３、下面カバー５１４、および背面カバー５１５は、それぞれ板状の金属部材を折り曲げ加工で形成し、互いに組み付けられて箱形状をなしている。第１基板５１Ａは、背面カバー５１５の内面に固定される。
【００３６】
第１筐体５１Ｂは、背面カバー５１５が制御部固定用筐体６を構成するベースフレーム６１の前面側に固定されることで、第１制御部５１がベースフレーム６１に固定される。第１筐体５１Ｂの前面側は、図３、図４に示すように、制御部固定用筐体６を構成する前面カバー６２により覆われる。この構成により、第１基板５１Ａが６方向で閉塞された状態となる。
【００３７】
なお、左面カバー５１１において上方向には、図２、図３に示すように、８角形の開口となる吸気口５１１ａが形成されている。この吸気口５１１ａを覆って、左面カバー５１１の外面には、吸気ファン８０が設置されている。吸気ファン８０として、本実施形態では、いわゆる軸流ファンを用いている。なお、軸流ファンは、回転軸方向から吸気した空気を回転軸方向に吐出する構造となっている。
【００３８】
また、右面カバー５１２において上方向には、図２、図４に示すように、８角形の開口となる排気口５１２ａが形成されている。本実施形態では、第１筐体５１Ｂを組み立てた場合、吸気口５１１ａと排気口５１２ａとは相対する位置関係になる。
【００３９】
右面カバー５１２は、上方向の端部５１２ｂが、上面カバー５１３より上方向に延出した状態に構成されている。端部５１２ｂは、図３、図４に示すように、制御部固定用筐体６を構成するトップカバー６３をベースフレーム６１に上方向から被せてベースフレーム６１に固定した場合、第１制御部５１の上側も覆う状態となるが、そのトップカバー６３の裏面６３ａに略当接する状態となっている。なお、右面カバー５１２において、図２、図３、図４に斜線で示すように、上面カバー５１３から上方向に延出して端部５１２ｂに至る領域を本実施形態では仕切り領域５１２Ｄとする。仕切り領域５１２Ｄに関しては後述する。
【００４０】
第１基板５１Ａは、図４に示すように、放熱用のヒートシンク８２を備えている。また、ヒートシンク８２は、複数のフィン８２１を備えて構成されている。ヒートシンク８２は、図２、図４に示すように、第１筐体５１Ｂにおいて、略相対する位置関係となる吸気口５１１ａと排気口５１２ａとの間に位置するように設置されている。
【００４１】
そして、複数のフィン８２１は、吸気口５１１ａから排気口５１２ａに流動する空気Ｗ１の流れに沿って設置されている。詳細には、フィン８２１は、表面積が大きくなる側面に沿う方向が、吸気口５１１ａから排気口５１２ａに流動する空気Ｗ１の流動方向に略一致するように設置されている。
【００４２】
次に、第２制御部５２の構成に関して説明する。
図２に示すように、第２制御部５２は、第１制御部５１と略同様に構成されている。第２制御部５２は、回路配線基板に回路素子５２０が実装された第２基板５２Ａと、第２基板５２Ａを内部に収容する第２筐体５２Ｂとで構成されている。
【００４３】
第２筐体５２Ｂも第１筐体５１Ｂと略同様に箱形状に構成されている。第２筐体５２Ｂは、左面カバー５２１、右面カバー５２２、上面カバー５２３、下面カバー５２４、および背面カバー５２５で構成されている。５方向の面となる左面カバー５２１、右面カバー５２２、上面カバー５２３、下面カバー５２４、および背面カバー５２５は、それぞれ板状の金属部材を折り曲げ加工で形成し、互いに組み付けられて箱形状をなしている。第２基板５２Ａは、背面カバー５２５の内面に固定される。
【００４４】
第２筐体５２Ｂは、第１筐体５１Ｂの右方向（−Ｘ方向）に配設され、ベースフレーム６１の前面側に固定されることで、第２制御部５２がベースフレーム６１に固定される。第２筐体５２Ｂの前面側は、第１筐体５１Ｂと同様に、制御部固定用筐体６を構成する前面カバー６２により覆われる。この構成により、第２基板５２Ａが６方向で閉塞された状態となる。
【００４５】
なお、右面カバー５２２において上方向には、図２に示すように、第１筐体５１Ｂの左面カバー５１１と同様に、８角形の開口となる吸気口５２２ａが形成されている。この吸気口５２２ａを覆って、右面カバー５２２の外面には、吸気ファン８０が設置されている。
【００４６】
また、左面カバー５２１において上方向には、図２に示すように、第１筐体５１Ｂの右面カバー５１２と同様に、８角形の開口となる排気口５２１ａが形成されている。本実施形態では、第２筐体５２Ｂを組み立てた場合、吸気口５２２ａと排気口５２１ａとは相対する位置関係になる。
【００４７】
左面カバー５２１は、上方向の端部５２１ｂが、上面カバー５２３より上方向に延出した状態に構成されている。端部５２１ｂは、端部５１２ｂと同様に、トップカバー６３をベースフレーム６１に上方向から被せてベースフレーム６１に固定した場合、そのトップカバー６３の裏面６３ａに略当接する状態となっている。なお、左面カバー５２１において、図２に斜線で示すように、上面カバー５２３から上方向に延出して端部５２１ｂに至る領域を本実施形態では仕切り領域５２１Ｄとする。仕切り領域５２１Ｄに関しては後述する。
【００４８】
第２基板５２Ａは、第１基板５１Ａと同様に、放熱用のヒートシンク８２を備えている。また、ヒートシンク８２は、複数のフィン８２１を備えて構成されている。ヒートシンク８２は、第２筐体５２Ｂにおいて、略相対する位置関係となる吸気口５２２ａと排気口５２１ａとの間に位置するように設置されている。
【００４９】
複数のフィン８２１は、吸気口５２２ａから排気口５２１ａに流動する空気Ｗ２の流れに沿って設置されている。詳細には、フィン８２１は、表面積が大きくなる側面に沿う方向が、吸気口５２２ａから排気口５２１ａに流動する空気Ｗ２の流動方向に略一致するように設置されている。
【００５０】
本実施形態の制御部固定用筐体６は、媒体加熱装置７を構成している。制御部固定用筐体６は、本体フレーム９０に固定されており、上方向に開口した断面Ｕ字状で幅方向Ｘに延びて形成されるベースフレーム６１と、幅方向Ｘに延びて形成されて第１筐体５１Ｂおよび第２筐体５２Ｂの前面側を構成する前面カバー６２と、幅方向Ｘに延びて形成されてベースフレーム６１に上方向から被せてベースフレーム６１に固定するトップカバー６３とで構成されている。ベースフレーム６１、前面カバー６２、およびトップカバー６３は、それぞれ板状の金属部材を折り曲げ加工で形成される。
【００５１】
前面カバー６２は、第１筐体５１Ｂの左面カバー５１１と右面カバー５１２との前側の端部に固定される。また、前面カバー６２は、第２筐体５２Ｂの左面カバー５２１と右面カバー５２２の前側の端部に固定される。前面カバー６２が固定された場合、図３、図４に示すように、前面カバー６２の曲折する上端部６２ａおよび曲折する下端部６２ｂは、印刷装置１の内側方向に向けた状態となる。
【００５２】
また、トップカバー６３をベースフレーム６１に上方向から被せてベースフレーム６１に固定した場合、トップカバー６３は、図３、図４に示すように、第１制御部５１および第２制御部５２の上側を覆うと共に、前面カバー６２の上端部６２ａとの間に隙間を設けて前方向に延出し、曲折する先端部６３ｂを下方向に向けた状態となる。
【００５３】
このように構成される制御部固定用筐体６は、第１制御部５１および第２制御部５２を内部に収容する筐体としての機能を有している。
【００５４】
なお、上述するように、前面カバー６２の上端部６２ａ近傍とトップカバー６３の先端部６３ｂとの間に形成される隙間、又は、前面カバー６２の上端部６２ａ近傍とトップカバー６３の裏面６３ａとの間に形成される隙間は、前面カバー６２およびトップカバー６３が延びる方向となる幅方向Ｘに沿って構成される。言い換えると、隙間は、第１制御部５１および第２制御部５２の配設される方向となる幅方向Ｘに沿って構成されている。この隙間を本実施形態では、開口部６５と称する。
【００５５】
開口部６５は、第１制御部５１および第２制御部５２の上方向に位置する。また、この開口部６５により、制御部固定用筐体６の内部と外部（印刷装置１の外部）とが連通される。制御部固定用筐体６とヒーター用制御部５との上述した構成により、第１制御部５１および第２制御部５２は、開口部６５側に吸気口５１１ａ，５２２ａと、排気口５１２ａ，５２１ａとを有する構成となる。
【００５６】
図２に示すように、本実施形態の第１制御部５１と、第１制御部５１の右方向（−Ｘ方向）に配設される第２制御部５２とは、ベースフレーム６１に固定され、第１制御部５１の排気口５１２ａと第２制御部５２の排気口５２１ａとが互いに向かい合うように配置されている。
【００５７】
ここで、第１制御部５１の吸気ファン８０が駆動した場合、図２、図３に矢印で示すように、印刷装置１の外部の空気Ｗ１が、開口部６５となる前面カバー６２の上端部６２ａとトップカバー６３の先端部６３ｂとの隙間から筐体としての制御部固定用筐体６の内部に流入する。詳細には、空気Ｗ１は、吸気口５１１ａの近辺となる開口部６５の領域から流入する。そして、流入した空気Ｗ１は、第１制御部５１の吸気ファン８０に吸気され、吸気口５１１ａを介して第１筐体５１Ｂの内部に流入する。
【００５８】
第１筐体５１Ｂの内部に流入した空気Ｗ１は、第１基板５１Ａの動作により温まった筐体内の熱を奪い、また、ヒートシンク８２を構成する複数のフィン８２１の面に沿って流動することでフィン８２１からの熱を奪いながら、排気口５１２ａに向かって流動する。そして、熱を奪って温められた空気Ｗ１は、図２、図４に矢印で示すように、排気口５１２ａを介して第１筐体５１Ｂの外部に排気される。本実施形態では、排気口５１２ａから−Ｘ方向となる右方向に排気される。
【００５９】
また、第２制御部５２の吸気ファン８０が駆動した場合、図２に矢印で示すように、第１制御部５１の吸気ファン８０による動作と同様に、印刷装置１の外部の空気Ｗ２が、開口部６５となる前面カバー６２の上端部６２ａとトップカバー６３の先端部６３ｂとの隙間から筐体としての制御部固定用筐体６の内部に流入する。詳細には、空気Ｗ２は、吸気口５２２ａの近辺となる開口部６５の領域から流入する。そして、流入した空気Ｗ２は、第２制御部５２の吸気ファン８０に吸気され、吸気口５２２ａを介して第２筐体５２Ｂの内部に流入する。
【００６０】
第２筐体５２Ｂの内部に流入した空気Ｗ２は、第２基板５２Ａの動作により温まった筐体内の熱を奪い、また、ヒートシンク８２を構成する複数のフィン８２１の面に沿って流動することでフィン８２１からの熱を奪いながら、排気口５２１ａに向かって流動する。そして、熱を奪って温められた空気Ｗ２は、排気口５２１ａを介して第２筐体５２Ｂの外部に排気される。この場合、空気Ｗ２は、排気口５２１ａから＋Ｘ方向となる左方向に排気される。
【００６１】
図２に矢印で示すように、第１筐体５１Ｂの排気口５１２ａから−Ｘ方向となる右方向に排気された空気Ｗ１と、第２筐体５２Ｂの排気口５２１ａから＋Ｘ方向となる左方向に排気された空気Ｗ２とは、互いに衝突する。衝突したそれぞれの空気Ｗ１，Ｗ２は混ざり合いながら、図２に矢印で示すように、排気口５１２ａ，５２１ａの近傍に位置する開口部６５に流動し、開口部６５から制御部固定用筐体６の外部となる印刷装置１の外部に排気される。この動作により、第１制御部５１および第２制御部５２における第１基板５１Ａおよび第２基板５２Ａが適正な温度に冷却される。
【００６２】
ここで、排気口５１２ａ，５２１ａは、上述したように、第１筐体５１Ｂ、第２筐体５２Ｂの上方向に設けられている。言い換えると、排気口５１２ａ，５２１ａは、開口部６５の近くに設けられている。そのため、空気Ｗ１と空気Ｗ２とが衝突した場合、衝突による内圧の上昇の兼ね合いも含め、空気Ｗ１と空気Ｗ２とは、印刷装置１の外部に開放される開口部６５側に流動しやすくなり、開口部６５から排気される。
【００６３】
また、本実施形態では、第１制御部５１の右面カバー５１２に備える仕切り領域５１２Ｄと、第２制御部５２の左面カバー５２１に備える仕切り領域５２１Ｄとにより、Ｘ方向に沿って構成される制御部固定用筐体６の内部空間（特に、開口部６５）を仕切っている。言い換えると、仕切り領域５１２Ｄは、開口部６５において、吸気口５１１ａと排気口５１２ａとが連通しないように区切っている。また、仕切り領域５２１Ｄは、開口部６５において、吸気口５２２ａと排気口５２１ａとが連通しないように仕切っている。本実施形態では、仕切り領域５１２Ｄを有する右面カバー５１２と、仕切り領域５２１Ｄを有する左面カバー５２１とは、仕切り板として機能する。
【００６４】
仕切り板としての右面カバー５１２と左面カバー５２１とにより、排気口５１２ａ，５２１ａから排気された空気Ｗ１，Ｗ２は、衝突しながら、右面カバー５１２と左面カバー５２１とにより仕切られた開口部６５から外部に排気される。仕切り板としての右面カバー５１２と左面カバー５２１とにより、開口部６５から外部に排気された空気Ｗ１，Ｗ２が、再度、吸気口５１１ａ，５２２ａから吸気されることを極力低減している。
【００６５】
以上、本実施形態に係る印刷装置１を構成する媒体加熱装置７によれば、以下の効果を得ることができる。
【００６６】
本実施形態の媒体加熱装置７によれば、加熱部４を制御する第１制御部５１および第２制御部５２は、互いの排気口５１２ａ，５２１ａが向かい合うように配置されることにより、排気口５１２ａ，５２１ａから排気された空気Ｗ１，Ｗ２を衝突させている。これにより、互いの排気が互いの冷却に影響を与えることを避けることができる。従って、第１制御部５１および第２制御部５２を効率的に冷却することができる。
なお、例えば、第１制御部の排気口と第２制御部の吸気口とが向かい合うように配置される場合には、第１制御部の排気口から排気される温まった空気を、第２制御部の吸気口から吸気することになり、第２制御部の冷却効率が低下することになる。このような不具合に対して、本実施形態の媒体加熱装置７は、第１制御部５１および第２制御部５２を効率的に冷却することができる。
【００６７】
本実施形態の媒体加熱装置７によれば、制御部固定用筐体６の内部で、第１筐体５１Ｂの吸気口５１１ａと排気口５１２ａとが開口部６５を通して連通しないように仕切り板としての右面カバー５１２を備えている。これにより、吸気口５１１ａから吸気される冷却用の空気Ｗ１と排気口５１２ａから排気される温まった空気Ｗ１とを分けることができることで、吸気される空気Ｗ１と排気される空気Ｗ１とが混ざり合うことを防止できるため、第１制御部５１を効率的に冷却することができる。また、制御部固定用筐体６の内部で、第２筐体５２Ｂの吸気口５２２ａと排気口５２１ａとが開口部６５を通して連通しないように仕切り板としての左面カバー５２１を備えている。これにより、吸気口５２２ａから吸気される冷却用の空気Ｗ２と排気口５２１ａから排気される温まった空気Ｗ２とを分けることができることで、吸気される空気Ｗ２と排気される空気Ｗ２とが混ざり合うことを防止できるため、第２制御部５２を効率的に冷却することができる。
【００６８】
本実施形態の媒体加熱装置７によれば、第１制御部５１および第２制御部５２の内部で温まった空気Ｗ１，Ｗ２は、第１筐体５１Ｂ、第２筐体５２Ｂの内部において上方向に移動しやすくなる。この時、第１制御部５１および第２制御部５２の上方向で、制御部固定用筐体６に備える開口部６５は、第１制御部５１および第２制御部５２が配設される方向となる幅方向Ｘに沿って、印刷装置１の外部と連通させている。そして、第１制御部５１および第２制御部５２の吸気口５１１ａ，５２２ａと排気口５１２ａ，５２１ａとを、上方向となる開口部６５側に備えることにより、第１制御部５１および第２制御部５２の内部で温まり、上方向に移動している空気Ｗ１，Ｗ２を、効率的に排気口５１２ａ，５２１ａから排気させることができる。また排気口５１２ａ，５２１ａから排気された温まった空気Ｗ１，Ｗ２は、排気口５１２ａ，５２１ａの上方向の開口部６５から印刷装置１の外部に排気される。
【００６９】
本実施形態の媒体加熱装置７によれば、第１制御部５１および第２制御部５２は、複数のフィン８２１を備える放熱用のヒートシンク８２をそれぞれ備えている。そして、複数のフィン８２１は、吸気口５１１ａから排気口５１２ａ、吸気口５２２ａから排気口５２１ａに流動する空気Ｗ１，Ｗ２の流れに沿って形成されていることで、効率的にヒートシンク８２（フィン８２１）の熱を奪うことができることで、第１制御部５１および第２制御部５２を冷却することができる。
【００７０】
本実施形態の印刷装置１によれば、媒体加熱装置７を備えることで、第１制御部５１および第２制御部５２を適切に冷却することができることにより、加熱部４を適切に駆動することができる。これにより、インクを確実に乾燥させて定着させることができるため、印字品質を維持することができる。
【００７１】
［第２実施形態］
図５は、第２実施形態に係る印刷装置１Ａの概略構成図である。図６は、ヒーター用制御部５Ａを示す概略斜視図である。
図５に示すように、本実施形態の印刷装置１Ａは、第１実施形態での印刷装置１と比べて、媒体加熱装置７Ａが異なっている。詳細には、本実施形態の媒体加熱装置７Ａは、加熱部４Ａとして、第１実施形態の加熱部４に加えて、第２ヒーター４５を備えている。
【００７２】
第２ヒーター４５は、図５に示すように、いわゆるチューブヒーターで構成されている。また、第２ヒーター４５は、幅方向Ｘに延びると共に幾重にも曲折された状態に構成されている。このように構成される第２ヒーター４５は、アルミテープ（図示省略）を介して、第３支持部材２８の支持面２８ａに対して反対側の面となる面２８ｂに貼付されている。
【００７３】
第３支持部材２８は、本実施形態では、金属部材となるアルミニウムの平板で形成されている。第２ヒーター４５は、面２８ｂに貼付されて第３支持部材２８を熱伝導により加熱する。そして、第２ヒーター４５は、第３支持部材２８を加熱することにより、支持面２８ａを加熱し、支持面２８ａに支持される用紙Ｓを間接的に加熱する。
【００７４】
なお、媒体加熱装置７Ａは、ヒーター用制御部５Ａとして、第１実施形態のヒーター用制御部５（第１制御部５１および第２制御部５２）に加えて、第２ヒーター４５の駆動を制御する第３の制御部としての第３制御部５３を備えている。従って、本実施形態のヒーター用制御部５Ａは、第１制御部５１、第２制御部５２、第３制御部５３で構成されている。
【００７５】
第３制御部５３の構成に関して説明する。
図６に示すように、第３制御部５３は、第１実施形態の第１制御部５１と略同様に構成されている。また、第３制御部５３は、第２筐体５２Ｂの右方向（−Ｘ方向）に配設され、ベースフレーム６１の前面側に固定される。第３制御部５３は、図６に示すように、回路配線基板に回路素子５３０が実装された第３基板５３Ａと、第３基板５３Ａを内部に収容する第３筐体５３Ｂとで構成されている。
【００７６】
第３筐体５３Ｂは、箱形状に構成されている。第３筐体５３Ｂは、左面カバー５３１、右面カバー５３２、上面カバー５３３、下面カバー５３４、および背面カバー５３５で構成されている。５方向の面となる左面カバー５３１、右面カバー５３２、上面カバー５３３、下面カバー５３４、および背面カバー５３５は、それぞれ板状の金属部材を折り曲げ加工で形成し、互いに組み付けられて箱形状をなしている。第３基板５３Ａは、背面カバー５３５の内面に固定される。
【００７７】
第３筐体５３Ｂは、背面カバー５３５が制御部固定用筐体６を構成するベースフレーム６１の前面側に固定されることで、第３制御部５３がベースフレーム６１に固定される。第３筐体５３Ｂの前面側は、第１実施形態と同様に、制御部固定用筐体６を構成する前面カバー６２により覆われる。この構成により、第３基板５３Ａが６方向で閉塞された状態となる。
【００７８】
なお、左面カバー５３１において上方向には、図６に示すように、８角形の開口となる吸気口５３１ａが形成されている。この吸気口５３１ａを覆って、左面カバー５３１の外面には、第１実施形態と同様の吸気ファン８０が設置されている。また、右面カバー５３２において上方向には、図６に示すように、８角形の開口となる排気口５３２ａが形成されている。本実施形態では、第３筐体５３Ｂを組み立てた場合、吸気口５３１ａと排気口５３２ａとは相対する位置関係になる。
【００７９】
右面カバー５３２は、上方向の端部５３２ｂが、上面カバー５３３より上方向に延出した状態に構成されている。端部５３２ｂは、第１実施形態と同様に、制御部固定用筐体６を構成するトップカバー６３をベースフレーム６１に上方向から被せてベースフレーム６１に固定した場合、第３制御部５３の上側も覆う状態となるが、そのトップカバー６３の裏面６３ａに略当接する状態となっている。なお、右面カバー５３２において、図６に斜線で示すように、上面カバー５３３から上方向に延出して端部５３２ｂに至る領域を本実施形態では仕切り領域５３２Ｄとする。
【００８０】
第３基板５３Ａは、図６に示すように、放熱用のヒートシンク８２を備えている。また、ヒートシンク８２は、複数のフィン８２１を備えて構成されている。ヒートシンク８２は、図６に示すように、第３筐体５３Ｂにおいて、略相対する位置関係となる吸気口５３１ａと排気口５３２ａとの間に位置するように設置されている。
【００８１】
そして、複数のフィン８２１は、吸気口５３１ａから排気口５３２ａに流動する空気Ｗ３の流れに沿って設置されている。詳細には、フィン８２１は、表面積が大きくなる側面に沿う方向が、吸気口５３１ａから排気口５３２ａに流動する空気Ｗ３の流動方向に略一致するように設置されている。
【００８２】
図６に示すように、第２制御部５２と、第２制御部５２の右方向（−Ｘ方向）に配設される第３制御部５３とは、第２制御部５２の吸気口５２２ａと第３制御部５３の吸気口５３１ａとが互いに向かい合うように配置されている。なお、第１制御部５１と第２制御部５２とは、第１実施形態と同様に、第１制御部５１の排気口５１２ａと第２制御部５２の排気口５２１ａとが互いに向かい合うように配置される。
【００８３】
なお、第３制御部５３が、制御部固定用筐体６に固定される場合にも、第１実施形態と同様に、開口部６５が形成される。また、第３制御部５３は、第１実施形態と同様に、開口部６５側に吸気口５３１ａと排気口５３２ａとを有する構成となる。
【００８４】
ここで、第１制御部５１および第２制御部５２の吸気ファン８０が駆動した場合の動作に関しては、第１実施形態と同様の為、説明は省略し、第３制御部５３の駆動を説明する。
第３制御部５３の吸気ファン８０が駆動した場合、図６に矢印で示すように、印刷装置１の外部の空気Ｗ３が、開口部６５から制御部固定用筐体６の内部に流入する。詳細には、空気Ｗ３は、吸気口５３１ａの近辺となる開口部６５の領域から流入する。そして、流入した空気Ｗ３は、第３制御部５３の吸気ファン８０に吸気され、吸気口５３１ａを介して第３筐体５３Ｂの内部に流入する。
【００８５】
第３筐体５３Ｂの内部に流入した空気Ｗ３は、第３基板５３Ａの動作により温まった筐体内の熱を奪い、また、ヒートシンク８２を構成する複数のフィン８２１の面に沿って流動することでフィン８２１からの熱を奪いながら、排気口５３２ａに向かって流動する。そして、熱を奪って温められた空気Ｗ３は、図６に矢印で示すように、排気口５３２ａを介して第３筐体５３Ｂの外部に排気される。また、本実施形態では、排気口５３２ａから−Ｘ方向となる右方向に排気された空気Ｗ３は、開口部６５から印刷装置１Ａの外部に排気される。
【００８６】
本実施形態では、第２制御部５２の左面カバー５２１に備える仕切り領域５２１Ｄと、第３制御部５３の右面カバー５３２に備える仕切り領域５３２Ｄとにより、Ｘ方向に沿って構成される制御部固定用筐体６の内部空間（特に、開口部６５）を仕切っている。言い換えると、仕切り領域５３２Ｄは、開口部６５において、吸気口５３１ａと排気口５３２ａとが連通しないように区切っている。また、仕切り領域５２１Ｄは、開口部６５において、吸気口５２２ａと排気口５２１ａとが連通しないように仕切っている。本実施形態では、仕切り領域５２１Ｄを有する左面カバー５２１と、仕切り領域５３２Ｄを有する右面カバー５３２とは、仕切り板として機能する。なお、第１筐体５１Ｂの右面カバー５１２も仕切り板として機能する。
【００８７】
仕切り板としての左面カバー５２１と右面カバー５３２とにより、吸気口５２２ａ，５３１ａから吸気される空気Ｗ２，Ｗ３は、左面カバー５２１と右面カバー５３２とにより仕切られた開口部６５から外部の空気を吸気する。仕切り板としての左面カバー５２１と右面カバー５３２とにより、開口部６５から内部に吸気された空気Ｗ２，Ｗ３は、排気口５２１ａ，５３２ａから排気された空気Ｗ２，Ｗ３を吸気することを極力低減している。なお、第１実施形態と同様に、仕切り板としての右面カバー５１２と左面カバー５２１とによる効果は同様である。
【００８８】
以上、本実施形態に係る印刷装置１Ａを構成する媒体加熱装置７Ａによれば、第１実施形態と同様の効果を奏する他、以下の効果を得ることができる。
【００８９】
本実施形態の媒体加熱装置７Ａによれば、第１制御部５１、第２制御部５２に加えて、第３制御部５３を備える場合、第１制御部５１の排気口５１２ａと第２制御部５２の排気口５２１ａ、および第２制御部５２の吸気口５２２ａと第３制御部５３の吸気口５３１ａとが、向かい合うように配置している。この構成により、排気口５１２ａ，５２１ａ，５３２ａから排気された空気Ｗ１，Ｗ２，Ｗ３が、吸気口５１１ａ，５２２ａ，５３１ａから吸気されないようにすることができる。
【００９０】
本実施形態の媒体加熱装置７Ａによれば、制御部固定用筐体６の内部で、第３筐体５３Ｂの吸気口５３１ａと排気口５３２ａとが開口部６５を通して連通しないように仕切り板としての右面カバー５３２を備えている。これにより、吸気口５３１ａから吸気される冷却用の空気Ｗ３と排気口５３２ａから排気される温まった空気Ｗ３とを分けることができることで、吸気される空気Ｗ３と排気される空気Ｗ３とが混ざり合うことを防止できるため、第３制御部５３を効率的に冷却することができる。
【００９１】
本実施形態の印刷装置１Ａによれば、媒体加熱装置７Ａを備えることで、第１制御部５１、第２制御部５２に加えて第３制御部５３も適切に冷却することができることにより、加熱部４Ａを適切に駆動することができる。これにより、インクを確実に乾燥させて定着させることができるため、印字品質を維持することができる。
【００９２】
［第３実施形態］
図７は、第３実施形態に係る印刷装置１Ｂの気流案内部９を示す概略構成図である。
図７に示すように、本実施形態の印刷装置１Ｂは、第１実施形態での印刷装置１と比べて、媒体加熱装置７Ｂが異なっている。詳細には、本実施形態の媒体加熱装置７Ｂは、第１実施形態の媒体加熱装置７に気流案内部９を備えていることが異なる。
【００９３】
以降では、気流案内部９の説明を行い、第１実施形態と同様の構成部分は説明を省略する。
図７に示すように、気流案内部９は、上方向に尖った角度で屈曲する板部材で構成されている。この気流案内部９は、向かい合って設置される第１制御部５１での右面カバー５１２の排気口５１２ａと第２制御部５２での左面カバー５２１の排気口５２１ａとの間に設置される。気流案内部９はベースフレーム６１の前面側に固定される。そして、気流案内部９は、排気口５１２ａに相対して傾斜する傾斜面９ａと、排気口５２１ａに相対して傾斜する傾斜面９ｂとを備え、排気を案内する機能を有している。
【００９４】
気流案内部９を設置することにより、第１制御部５１の排気口５１２ａから排気された空気Ｗ１は、傾斜面９ａに当たることにより、意図した方向となる開口部６５の方向（上方向）に流動方向を変化させる。また、第２制御部５２の排気口５２１ａから排気された空気Ｗ２は、傾斜面９ｂに当たることにより、意図した方向となる開口部６５の方向（上方向）に流動方向を変化させる。気流案内部９により流動方向を上方向に変えられた空気Ｗ１，Ｗ２は、開口部６５から外部に排気される。
【００９５】
以上、本実施形態に係る印刷装置１Ｂを構成する媒体加熱装置７Ｂによれば、第１実施形態と同様の効果を奏する他、以下の効果を得ることができる。
【００９６】
本実施形態の媒体加熱装置７Ｂによれば、向かい合う第１制御部５１の排気口５１２ａと第２制御部５２の排気口５２１ａとからの排気を案内する気流案内部９を備えることにより、排気口５１２ａ，５２１ａから排気された空気Ｗ１，Ｗ２は、気流案内部９に案内されて流動方向を開口部６５の方向（意図した方向）に適切に変えることができる。従って、排気された空気Ｗ１，Ｗ２を制御部固定用筐体６の外部（印刷装置１Ｂの外部）に適切に排気することができる。
【００９７】
本実施形態の印刷装置１Ｂによれば、媒体加熱装置７Ｂを構成する気流案内部９を備えることにより、更に、第１制御部５１、第２制御部５２を適切に冷却することができる。これにより、インクを確実に乾燥させて定着させることができるため、印字品質を更に維持することができる。
【００９８】
なお、本発明は上述した実施形態に限定されず、上述した実施形態に種々の変更や改良などを加えることが可能である。変形例を以下に述べる。
【００９９】
＜変形例１＞
第１実施形態の媒体加熱装置７において、第１制御部５１および第２制御部５２は、第１制御部５１の吸気口５１１ａと第２制御部５２の吸気口５２２ａに吸気ファン８０を備えている。しかし、これには限られず、第１制御部５１の吸気口５１１ａおよび排気口５１２ａの少なくとも一方、および第２制御部５２の吸気口５２２ａおよび排気口５２１ａの少なくとも一方に吸気用または排気用として機能する吸排気用ファンを備えることでよい。これは第２実施形態でも同様となる。
【０１００】
＜変形例２＞
第２実施形態の媒体加熱装置７Ａでは、３つの制御部を備えた場合を説明したが、４つ以上の制御部を設けることでもよい。その場合には、それぞれ並ぶ制御部において、排気口と排気口、吸気口と吸気口とが向かい合うように順次配置することでよい。
【０１０１】
＜変形例３＞
第２実施形態の媒体加熱装置７Ａでは、第１制御部５１の右面カバー５１２、第２制御部５２の左面カバー５２１、第３制御部５３の右面カバー５３２を仕切り板として構成している。しかし、これには限られず、制御部固定用筐体６の内部で吸気口と排気口とが連通しないように適宜設定することでよい。これは第１実施形態でも同様となる。また、４つ以上の制御部を設ける場合も同様となる。
【０１０２】
＜変形例４＞
印刷装置１，１Ａ，１Ｂにおいて、媒体としてのロール状の用紙Ｓとして、例えば、上質紙、キャスト紙、アート紙、コート紙、合成紙、また、ＰＥＴ（Polyethylene terephthalate）、ＰＰ（polypropylene）などから成るフィルムなどを使用することができる。
【０１０３】
以下に、上記実施形態から導き出される内容を記載する。
【０１０４】
媒体加熱装置は、媒体を加熱する加熱部と、加熱部を制御する第１の制御部および第２の制御部と、第１の制御部および第２の制御部を内部に有する筐体と、を備え、第１の制御部および第２の制御部は、それぞれ吸気口と排気口とを備え、第１の制御部および第２の制御部は、第１の制御部の吸気口および排気口の少なくとも一方、および第２の制御部の吸気口および排気口の少なくとも一方に設置される吸排気用ファンを備え、第１の制御部および第２の制御部は、互いに排気口が向かい合うように配置されることを特徴とする。
【０１０５】
この構成によれば、加熱部を制御する第１の制御部と第２の制御部の排気口と吸気口とが、例えば、同様の位置関係で設置されている場合、一方の制御部の排気口から排気された温かい空気が、他方の制御部の吸気口から吸気されることになり、他方の制御部の冷却効率が低下することになる。しかし、第１の制御部および第２の制御部は、互いに排気口が向かい合うように配置されることにより、排気口から排気された空気を衝突させることにより、互いの排気が互いの冷却に影響を与えることを避けることができる。従って、第１の制御部および第２の制御部を効率的に冷却することができる。
【０１０６】
上記、媒体加熱装置において、筐体の内部で吸気口と排気口とが連通しないように仕切り板を備えることが好ましい。
【０１０７】
この構成によれば、吸気口から吸気される空気と、排気口から排気される空気とを分けることができることにより、吸気される空気と排気される空気とが混ざり合うことを防止できるため、第１の制御部および第２の制御部を効率的に冷却することができる。
【０１０８】
上記、媒体加熱装置において、第１の制御部および第２の制御部は、向かい合う排気口からの排気を案内する気流案内部を備えることが好ましい。
【０１０９】
この構成によれば、排気口から排気された空気は、気流案内部に案内されて意図する方向に流動方向を変えることができる。従って、排気された空気の流動方向を制御することができるため、例えば、排気を意図する方向としての開口部などの方向に流動させて筐体の外部に適切に排気することができる。
【０１１０】
上記、媒体加熱装置において、吸気口と排気口とを有して加熱部を制御する第３の制御部を備え、第１の制御部の排気口と第２の制御部の排気口、第２の制御部の吸気口と第３の制御部の吸気口とが、向かい合うように配置されることが好ましい。
【０１１１】
この構成によれば、第１の制御部、第２の制御部、第３の制御部を備える場合、排気口と排気口、吸気口と吸気口とが向かい合うように配置されることにより、排気口から排気された空気が吸気口から吸気されないようにすることができる。
【０１１２】
上記、媒体加熱装置において、筐体は、第１の制御部および第２の制御部の上方向で、第１の制御部および第２の制御部が配設される方向に沿って外部と連通する開口部を備え、第１の制御部および第２の制御部は、開口部側に吸気口と排気口とを有することが好ましい。
【０１１３】
この構成によれば、第１の制御部および第２の制御部の内部で温まった空気は内部において上方向に移動しやすくなる。この時、第１の制御部および第２の制御部の上方向で、筐体に備える開口部は、第１の制御部および第２の制御部が配設される方向に沿って外部と連通させている。そして、第１の制御部および第２の制御部の吸気口と排気口とを、開口部側に有することにより、第１の制御部および第２の制御部の内部で温まり、上方向に移動している空気を、効率的に排気口から排気させることができる。また、排気口から排気された温まった空気は筐体の開口部から排気される。
【０１１４】
上記、媒体加熱装置において、第１の制御部および第２の制御部は放熱用のヒートシンクを備え、ヒートシンクは複数のフィンを備え、複数のフィンは、吸気口から排気口に流動する空気の流れに沿って形成されていることが好ましい。
【０１１５】
この構成によれば、複数のフィンを備える放熱用のヒートシンクを備え、複数のフィンは、吸気口から排気口に流動する空気の流れに沿って形成されていることで、効率的にヒートシンクの熱を奪うことができることで、第１の制御部、第２の制御部、第３の制御部を冷却することができる。
【０１１６】
印刷装置は、上述したいずれかの媒体加熱装置を備えていることを特徴とする。
【０１１７】
この構成によれば、媒体加熱装置を備えることで、第１の制御部および第２の制御部を適切に冷却することができることにより、加熱部を適切に駆動することができる。これにより、インクを確実に乾燥させて定着させることができるため、印字品質を維持することができる。
【符号の説明】
【０１１８】
１，１Ａ，１Ｂ…印刷装置、４，４Ａ…加熱部、５，５Ａ…ヒーター用制御部、６…筐体としての制御部固定用筐体、７，７Ａ，７Ｂ…媒体加熱装置、９…気流案内部、５１…第１制御部、５２…第２制御部、５３…第３制御部、６５…開口部、８０…吸排気用ファンとしての吸気ファン、８２…ヒートシンク、５１２…仕切り板としての右面カバー、５２１…仕切り板としての左面カバー、５１１ａ，５２２ａ…吸気口、５１２ａ，５２１ａ…排気口、５３１ａ…吸気口、５３２ａ…排気口、８２１…フィン、Ｓ…媒体としての用紙、Ｗ１，Ｗ２，Ｗ３…空気。
【図１】
2020082506.tif 000003
【図２】
2020082506.tif 000004
【図３】
2020082506.tif 000005
【図４】
2020082506.tif 000006
【図５】
2020082506.tif 000007
【図６】
2020082506.tif 000008
【図７】
2020082506.tif 000009